(57)【要約】【課題】アクティブフィルタにより高調波成分を補正する電源装置において、高調波成分を所定の範囲内としアクティブフィルタの変換効率を良くする。【解決手段】ＡＣ入力を複数のＤＣ−ＤＣコンバータにより複数のＤＣ電源を生成しアクティブフィルタにより高調波電流を抑制する電源装置において、アクティブフィルタ強制停止制御部７を設け、軽負荷のときはＡＣ電源の一周期毎に半周期分、アクティブフィルタのスイッチングを停止させるようにした。或いは、軽負荷のときは、複数のアクティブフィルタうち１つのスイッチング動作を停止するようにした。【選択図】図１
2008295216.tif 000002
【特許請求の範囲】
【請求項１】
ＡＣ電源からＤＣ電源を生成しアクティブフィルタにより当該ＡＣ電源の高調波成分を抑制する電源装置において、
電源装置の負荷が所定の負荷より少ないときは、所定の間隔で所定の期間、前記アクティブフィルタのスイッチングを強制的に停止させる制御手段を設けたことを特徴とするアクティブフィルタを備えた電源装置。
【請求項２】
前記所定の間隔は、ＡＣ電源の一周期毎であって、前記所定の期間は、半周期分としたことを特徴とする請求項１記載の電源装置。
【請求項３】
ＡＣ電源から複数のＤＣ電源を生成する複数のコンバータと、当該複数のコンバータにそれぞれ接続されたアクティブフィルタにより当該ＡＣ電源の高調波成分を抑制する電源装置において、
電源装置の負荷が所定の負荷より少ないときは、いずれかのアクティブフィルタのスイッチングを強制的に停止させる制御手段を設けたことを特徴とするアクティブフィルタを備えた電源装置。
【請求項４】
前記電源装置の負荷の判定は、電源装置の電流に基づいて判定するようにしたことを特徴とする請求項１ないし請求項３いずれか記載のアクティブフィルタを備えた電源装置。 
【発明の詳細な説明】
【技術分野】
【０００１】
本発明は、高調波電流規制の対象となる装置またはシステムに使用される、アクティブフィルタを備える電源装置に関する。
【背景技術】
【０００２】
近年、装置またはシステムに使用されるスイッチング電源装置から発生する高調波電流による電力利用環境の悪化をくい止めるため、高調波電流を抑制することが日本国内はもとより国際的に急務であるとされている。国際的にはＩＥＣでこの規格が制定され、国内はＩＥＣ規格をもとに「ＪＩＳ Ｃ ６１０００−３−２」が制定され、各工業会にて運用している。一方、地球温暖化問題に対する取り組みとして、アメリカの環境保護庁や日本の経済産業省が推進するエナジースター等、電子機器の省電力化技術の必要性が高まってきている。
【０００３】
図１０は、上記の高調波電流対策のためのアクティブフィルタを備える電源装置の一般な回路の例を示したものである。なお、本例は、入力電圧ＶｉｎとしてＡＣ１００Ｖを入力し、ＤＣ５ＶとＤＣ１２Ｖを出力する電源装置の例を示している。
【０００４】
同図に示したように、この電源装置は、ＡＣ１００ＶをダイオードＤ１にて全波整流して入力とし、アクティブフィルタ１（１）を経由しＤＣ５ＶとＤＣ１２ＶのＤＣ−ＤＣコンバータ１（５）およびＤＣ−ＤＣコンバータ２（６）が接続された構成となっている。
【０００５】
そして、アクティブフィルタ１（１）は、電流制御用のコイルＬ１、スイッチングのためのＦＥＴトランジスタＴＲ１、整流用のダイオードＤ２、平滑化のためのコンデンサＣ１、電流検出用の抵抗Ｒ１、後述のアクティブフィルタ制御部３とから構成される。
【０００６】
ＤＣ−ＤＣコンバータ１（５）およびＤＣ−ＤＣコンバータ２（６）は、スイッチングを行うＦＥＴトランジスタＴＲ２およびＴＲ３、トランスＴ１、Ｔ２、整流用のダイオードＤ３〜Ｄ６、電流制限用のコイルＬ２、Ｌ３、平滑化のためのコンデンサＣ２、Ｃ３とから構成される。
【０００７】
前記アクティブフィルタ制御部３のＩＳＥＮＳＥ端子はアクティブフィルタ入力電流Ｉ１のフィードバック入力端子であり、ＤＲＩＶＥ端子はＦＥＴトランジスタＴＲ１のドライブ出力の端子であり、ＶＳＥＮＳＥ端子はアクティブフィルタ出力電圧のフィードバック入力の端子であり、ＧＮＤ端子はグランド端子である。アクティブフィルタ制御部３は、前記ＩＳＥＮＳＥ端子とＶＳＥＮＳＥ端子の入力を受けて、ＤＲＩＶＥ端子のオンオフをコントロールするフィードバック回路を備える。
【０００８】
以上のようなアクティブフィルタを備え、高調波補償対象となる負荷装置やシステムが電源装置に接続されたときの高調波電流レベルを測定し、当該高調波電流レベルが許容値以上の場合、アクティブフィルタを動作させて高調波電流レベルを下げ、当該高調波電流レベルが許容値より小さい場合はアクティブフィルタを非動作とさせる技術はあった（例えば、特許文献１参照）。
【特許文献１】特開平７−１２３５９２号公報
【発明の開示】
【発明が解決しようとする課題】
【０００９】
しかしながら、従来のアクティブフィルタを備える電源装置では、高調波電流レベルが許容値以上となる場合では、電源装置の負荷にかかわらず、アクティブフィルタを常に動作させており、このときの電源装置の変換効率は、アクティブフィルタ１（１）の変換効率を９０％、ＤＣ−ＤＣコンバータ１とＤＣ−ＤＣコンバータ２の変換効率を８０％とすると、０．９×０．８×１００％＝７２％となり、変換効率が悪いという問題があった。
【課題を解決するための手段】
【００１０】
本発明は、前述の課題を解決するために次の手段を採用する。すなわち、ＡＣ電源からＤＣ電源を生成しアクティブフィルタにより当該ＡＣ電源の高調波成分を抑制する電源装置において、電源装置の負荷が所定の負荷より少ないときは、所定の間隔で所定の期間、前記アクティブフィルタのスイッチングを強制的に停止させるようにした。
【発明の効果】
【００１１】
本発明のアクティブフィルタを備える電源装置によれば、電源装置の負荷が所定の負荷より少ないときは、所定の間隔で所定の期間、前記アクティブフィルタのスイッチングを強制的に停止させるようにしたので、高調波成分を規制の範囲内としつつアクティブフィルタの効率を改善することができる。
【発明を実施するための最良の形態】
【００１２】
以下、本発明に係る実施の形態例を、図面を用いて説明する。なお、図面に共通する要素には同一の符号を付す。
【実施例１】
【００１３】
（構成）
まず、実施例１のアクティブフィルタを備える電源装置の構成を、図１を用いて説明する。本例では、ＡＣ１００ＶをダイオードＤ１にて全波整流して入力とし、ＤＣ１２ＶとＤＣ５Ｖを出力する電源装置の例を示している。なお、アクティブフィルタ１（１）の動作時の変換効率は９０％、ＤＣ−ＤＣコンバータ１（５）とＤＣ−ＤＣコンバータ２（６）の変換効率は８０％として以下説明する。
【００１４】
同図に示したように、実施例１の電源装置は、アクティブフィルタ１（１）を経由しＤＣ１２Ｖ用ＤＣ−ＤＣコンバータ１（５）およびとＤＣ５Ｖ用ＤＣ−ＤＣコンバータ２（６）が接続された構成となっている。
【００１５】
そして、アクティブフィルタ１（１）は、電流制御用のコイルＬ１、スイッチングのためのＦＥＴトランジスタＴＲ１、整流用のダイオードＤ２、平滑化のためのコンデンサＣ１、電流検出用の抵抗Ｒ１、後述のアクティブフィルタ制御部３、アクティブフィルタ強制停止制御部７から構成される。
【００１６】
ＤＣ１２Ｖ用ＤＣ−ＤＣコンバータ１（５）およびＤＣ５Ｖ用ＤＣ−ＤＣコンバータ２（６）は、スイッチングを行うＦＥＴトランジスタＴＲ２およびＴＲ３、トランスＴ１、Ｔ２、整流用のダイオードＤ３〜Ｄ６、電流制限用のコイルＬ２、Ｌ３、平滑化のためのコンデンサＣ２、Ｃ３とから構成される。
【００１７】
前記アクティブフィルタ制御部３のＩＳＥＮＳＥ端子はアクティブフィルタ入力電流のフィードバック入力端子であり、ＤＲＩＶＥ端子はＦＥＴトランジスタＴＲ１のドライブ出力の端子であり、ＶＳＥＮＳＥ端子はアクティブフィルタ出力電圧のフィードバック入力の端子であり、ＧＮＤ端子はグランド端子である。アクティブフィルタ制御部３は、前記ＩＳＥＮＳＥ端子とＶＳＥＮＳＥ端子の入力を受けて、ＤＲＩＶＥ端子のオンオフをコントロールするフィードバック回路を備える。
【００１８】
アクティブフィルタ強制停止制御部７のＡＣＰＨＡＳＥ端子はＡＣ電源の位相を検出するためのＡＣ１００Ｖの入力端子であり、ＤＲＩＶＥＯＦＦ端子はアクティブフィルタ１（１）のＤＲＩＶＥ端子を強制オフする出力端子であり、ＧＮＤ端子はグランド端子であり、ＯＦＦ端子は負荷装置またはシステムからの軽負荷信号を受け付ける入力端子である。
【００１９】
（動作）
以上の構成により実施例１のアクティブフィルタを備える電源装置は、以下のように動作する。この動作を図２および図３の動作説明図である入力電圧と電流波形を用いて以下詳細に説明する。
【００２０】
本実施例の電源装置はＡＣ１００Ｖを入力としてＤＣ５ＶとＤＣ１２Ｖを出力する。まず、電源装置を起動すると、電源装置に接続された装置またはシステムの負荷が大きく入力電力が大きい場合では、アクティブフィルタ１（１）はその動作を停止することなく、図２に示したような入力電流となるように制御しながら動作している。
【００２１】
ところで、皮相電力に対する有効電力の割合である力率を１に近づければ高調波電流は０に抑制されるが、約０．７５以上の力率であれば「ＪＩＳ Ｃ ６１０００−３−２」の規制値をクリアすることができる。一般に、アクティブフィルタにより力率をほぼ１とする技術は確立されており、このときの電源装置の変換効率は、アクティブフィルタ１（１）の変換効率を９０％、ＤＣ−ＤＣコンバータ１（５）とＤＣ−ＤＣコンバータ２（６）の変換効率を８０％とすると、０．９×０．８×１００％＝７２％となる。
【００２２】
軽負荷信号は、この電源装置が接続される装置やシステムからその動作状態を通知する信号であり、負荷が小さく消費電力が小さいときは、アクティブフィルタ強制停止制御部７に軽負荷である旨の信号が入力される。アクティブフィルタ強制停止制御部７は、軽負荷信号がオンの場合、入力されるＡＣ電源の半周期毎例えば、図３のタイミングＴ２、Ｔ４にＤＲＩＶＥＯＦＦを出力する。タイミングＴ１、Ｔ３にＤＲＩＶＥＯＦＦを出力するようにしても勿論よい。
【００２３】
その結果、アクティブフィルタ１（１）はＡＣ電源の一周期毎に半周期分、スイッチングを停止するので、入力電流Ｉ１は図３のような波形となる。
【００２４】
図４は、以上の動作をグラフ化した図であり、縦軸が高調波電流レベルであり、横軸が入力電力を示しており、グラフが水平方向となるほど力率が１に近づき、垂直方向になるほど、力率が０となることを示している。
【００２５】
図中、アクティブフィルタ１（１）の停止時のグラフはアクティブフィルタ１（１）を完全に停止した場合の入力電力に対する高調波電流、すなわち力率を示すもので、この場合の力率は、一般的な値として０．６程度となる。図中、アクティブフィルタ１（１）の動作時のグラフはアクティブフィルタ１（１）を動作させ力率を改善したときのグラフを示し、この場合の力率は、一般的な値として０．９８程度となる。
【００２６】
そして、ＡＣ正弦波の一周期毎に半周期分、アクティブフィルタ１（１）を停止した場合は、上記を平均した値である（０．６＋０．９８）／２＝０．７９程度となる。
【００２７】
そして、同図に示したように、負荷装置の消費電力が少ない場合、すなわち負荷装置の消費電力が０からＰａまでは、負荷装置から軽負荷信号オンが出力されるので、ＡＣ正弦波の一周期毎に半周期分、アクティブフィルタ１（１）が停止される。
【００２８】
その結果、図４の実線のように、消費電力の増加につれ高調波電流レベルが増加するようになり、消費電力がＰａとなったとき（図４のａ点）に、負荷装置からの軽負荷信号がオフとなるので、アクティブフィルタ１（１）をすべてのタイミングで動作させ、図２の状態、すなわち力率約０．９８の状態（図４のｂ点）に推移し、さらに消費電力が増加するに従い高調波電流レベルが増加する。
【００２９】
以上のように、負荷が一定以下のときは、ＡＣ電源の一周期毎に半周期分、アクティブフィルタ１（１）のスイッチングを停止するので、主としてＦＥＴトランジスタＴＲ１、ダイオードＤ２におけるスイッチングロスが低下し、アクティブフィルタ１（１）の効率が９４％程度に向上する。その結果、一周期毎に半周期分、アクティブフィルタ１（１）をオフする電源装置の変換効率は、オフしないときの約７２％から０．９４×０．８×１００％＝７５．２％に向上する。
【００３０】
なお、以上の説明では、負荷が一定以下のときは、ＡＣ電源の一周期毎に半周期分、アクティブフィルタ１（１）のスイッチングを停止するように説明したが、高調波電流規制の範囲内にて、負荷が少なくなるに従いアクティブフィルタ１（１）のスイッチングを停止する期間を長くするようにしてもよい。
【００３１】
（実施例１の効果）
以上のように、実施例１のアクティブフィルタを備える電源装置によれば、アクティブフィルタ強制停止制御部を設け、軽負荷のときはＡＣ電源の一周期毎に半周期分、アクティブフィルタのスイッチングを停止させるようにしたので、高調波電流規制を遵守しつつアクティブフィルタの変換効率を向上させることができる。
【実施例２】
【００３２】
（構成）
実施例２のアクティブフィルタを備える電源装置は、図５に示した回路構成となっている。本例でも、実施例１と同様、入力電圧ＶｉｎとしてＡＣ１００Ｖを入力し、ＤＣ１２ＶとＤＣ５Ｖを出力する電源装置を例とし、アクティブフィルタ１（１）とアクティブフィルタ２（２）の動作時の変換効率を９０％、ＤＣ−ＤＣコンバータ１（５）とＤＣ−ＤＣコンバータ２（６）の変換効率を８０％として以下説明する。
【００３３】
実施例２のアクティブフィルタを備える電源装置は、アクティブフィルタ１（１）を経由しＤＣ１２Ｖ用ＤＣ−ＤＣコンバータ１（５）が接続され、アクティブフィルタ２（２）を経由しＤＣ５Ｖ用ＤＣ−ＤＣコンバータ２（６）が接続された構成となっている。
【００３４】
そして、アクティブフィルタ１（１）は、実施例１と同様、電流制御用のコイルＬ１、スイッチングのためのＦＥＴトランジスタＴＲ１、整流用のダイオードＤ２、平滑化のためのコンデンサＣ１、電流検出用の抵抗Ｒ１、アクティブフィルタ制御部３から構成される。
【００３５】
アクティブフィルタ１（１）に接続されるＤＣ１２Ｖ用ＤＣ−ＤＣコンバータ１（５）は、スイッチングを行うＦＥＴトランジスタＴＲ２、トランスＴ１、整流用のダイオードＤ３、Ｄ４、電流制御用のコイルＬ２、平滑化のためのコンデンサＣ２とから構成される。
【００３６】
そして、アクティブフィルタ２（２）は、アクティブフィルタ１（１）と同様、電流制御用のコイルＬ３、スイッチングのためのＦＥＴトランジスタＴＲ３、整流用のダイオードＤ５、平滑化のためのコンデンサＣ３、電流検出用の抵抗Ｒ２、アクティブフィルタ制御部４から構成される。
【００３７】
そして、アクティブフィルタ２（２）に接続されるＤＣ５Ｖ用ＤＣ−ＤＣコンバータ２（６）は、ＤＣ１２Ｖ用ＤＣ−ＤＣコンバータ１（５）と同様、スイッチングを行うＦＥＴトランジスタＴＲ４、トランスＴ２、整流用のダイオードＤ６、Ｄ７、電流制御用のコイルＬ４、平滑化のためのコンデンサＣ４とから構成される。
【００３８】
前記アクティブフィルタ制御部３およびアクティブフィルタ制御部４のＩＳＥＮＳＥ端子はそれぞれのアクティブフィルタ入力電流のフィードバック入力端子であり、ＤＲＩＶＥ端子はＦＥＴトランジスタＴＲ１またはＴＲ３のドライブ出力の端子であり、ＶＳＥＮＳＥ端子はそれぞれのアクティブフィルタ出力電圧のフィードバック入力の端子であり、ＧＮＤ端子はグランド端子であり、ＯＦＦ端子は負荷装置またはシステムからの軽負荷信号を受け付ける入力端子である。
【００３９】
なお、実施例２の電源装置では、アクティブフィルタ１（１）のアクティブフィルタ制御部３のＯＦＦ端子には、軽負荷信号を接続せず、アクティブフィルタ２（２）のアクティブフィルタ制御部３のＯＦＦ端子にのみ軽負荷信号を接続するようになっている。
【００４０】
アクティブフィルタ制御部３およびアクティブフィルタ制御部４は、前記ＩＳＥＮＳＥ端子とＶＳＥＮＳＥ端子の入力を受けて、それぞれＤＲＩＶＥ端子のオンオフをコントロールするフィードバック回路を備える。
【００４１】
（動作）
以上の構成により実施例２のアクティブフィルタを備える電源装置は、以下のように動作する。この動作を実施例１と同様、図６および図７の入力電圧および電流波形、図８の各アクティブフィルタの電流波形を用いて以下説明する。
【００４２】
本実施例の電源装置は、実施例１と同様に、ＡＣ１００Ｖを入力としてＤＣ５ＶとＤＣ１２Ｖを出力する。まず、電源装置を起動すると、電源装置に接続される装置またはシステムの負荷が大きく消費電力が大きい場合では、アクティブフィルタ１（１）およびアクティブフィルタ２（２）は、その動作を停止することなく、図２に示したような入力電流となるように制御される。
【００４３】
ところで、皮相電力に対する有効電力の割合である力率を１に近づければ高調波電流は０に抑制されるが、約０．７５以上の力率であれば「ＪＩＳ Ｃ ６１０００−３−２」の規制値をクリアすることができる。一般に、アクティブフィルタにより力率をほぼ１とする技術は確立されており、このときの電源装置の変換効率は、アクティブフィルタ１（１）の変換効率を９０％、ＤＣ−ＤＣコンバータ１（５）とＤＣ−ＤＣコンバータ２（６）の変換効率を８０％とすると、０．９×０．８×１００％＝７２％となる。
【００４４】
軽負荷信号は、この電源装置が接続される装置やシステムからその動作状態を通知する信号であり、負荷が小さく消費電力が小さいときは、アクティブフィルタ制御部４のＯＦＦ端子に接続された軽負荷信号がオンとなり、アクティブフィルタ２（２）のスイッチングを停止する。
【００４５】
このとき、アクティブフィルタ制御部３のＯＦＦ端子には軽負荷信号が接続されていないので、アクティブフィルタ１（１）は動作を継続しており、図８示したようなアクティブフィルタ１（１）とアクティブフィルタ２（２）の入力電流が流れる。すなわち、アクティブフィルタ１（１）の入力電流Ｉ１はアクティブフィルタの動作が行われているので正弦波となり、アクティブフィルタ２（２）の入力電流Ｉ２は、アクティブフィルタの動作が停止しているので波形が歪み、高調波電流が流れる。
【００４６】
従って、両アクティブフィルタ１（１）とアクティブフィルタ２（２）の合成電流Ｉ１＋Ｉ２は、図７に示したような電流となり、これが入力電流として流れることになる。
【００４７】
図９は、以上の動作をグラフ化した図であり、縦軸が高調波電流のレベルであり、横軸が入力電力を示しており、グラフが水平方向となるほど力率が１に近づき、垂直方向になるほど、力率が０となることを示している。
【００４８】
図中、アクティブフィルタ１（１）およびアクティブフィルタ２（２）の停止時のグラフはアクティブフィルタ１（１）およびアクティブフィルタ２（２）を完全に停止した場合の入力電力に対する高調波電流、すなわち力率を示すもので、この場合の力率は、一般的な値として０．６程度となる。図中、アクティブフィルタ１（１）およびアクティブフィルタ２（２）の動作時のグラフは、アクティブフィルタ１（１）およびアクティブフィルタ２（２）を動作させ力率を改善したときのグラフを示し、この場合の力率は、一般的な値として０．９８程度となる。
【００４９】
そして、アクティブフィルタ２（２）のみ停止時のグラフは、アクティブフィルタ２（２）を停止し、アクティブフィルタ１（１）のみ動作させた場合のグラフであり、ＤＣ１２Ｖ用ＤＣ−ＤＣコンバータ１（５）とＤＣ５Ｖ用ＤＣ−ＤＣコンバータ２（６）の出力電力がほぼ同じ場合では、上記の平均した値程度となり、力率は、（０．６＋０．９８）／２＝０．７９程度となる。
【００５０】
そして、同図に示したように、負荷装置の消費電力が少ない場合、すなわち負荷装置の消費電力が０からＰａまでは、負荷装置から軽負荷信号オンが出力されるので、アクティブフィルタ２（２）が停止される。
【００５１】
その結果、図９の実線のように、消費電力の増加につれ高調波電流レベルが増加するようになり、消費電力がＰａとなったとき（図９のａ点）に、負荷装置からの軽負荷信号がオフとなるので、アクティブフィルタ２（２）を動作させる。アクティブフィルタ１（１）およびアクティブフィルタ２（２）が動作状態となると、図６の状態、すなわち力率約０．９８の状態（図９のｂ点）に推移し、さらに消費電力が増加するに従い高調波電流レベルが増加する。
【００５２】
以上のように、負荷の大小によって変化する入力電力が一定以下のときは、アクティブフィルタ２（２）のスイッチングを停止するので、主としてＦＥＴトランジスタＴＲ３、ダイオードＤ５におけるスイッチングロスが低下し、アクティブフィルタ２（２）の効率が９８％程度に向上する。
【００５３】
その結果、アクティブフィルタ２（２）をオフしないときは、アクティブフィルタ１（１）およびアクティブフィルタ２（２）の変換効率が９０％、１２Ｖ用ＤＣ−ＤＣコンバータ１（５）および５Ｖ用ＤＣ−ＤＣコンバータ２（６）の変換効率が８０％であるので、０．９×０．８×１００％＝約７２％であったが、アクティブフィルタ２（２）をオフすることによって、アクティブフィルタ２（２）の方が０．９８×０．８×１００％となるので、これを平均化して加算すると、（０．９８×０．８）／２＋（０．９×０．８）／２）×１００％＝７５．２％となり、３．２％変換効率が向上する。
【００５４】
以上の説明では、軽負荷の場合、アクティブフィルタ２（２）の方を停止するように説明したが、アクティブフィルタ１（１）の方を停止するようにしても勿論よい。また、以上の説明では、アクティブフィルタが２個でＤＣ−ＤＣコンバータが２個の場合について説明したが、３個以上の電源装置の場合にも同様に本発明を適用できる。この場合、負荷の大きさ、すなわち負荷装置等の消費電力の大きさに応じて、停止するアクティブフィルタの数を多くするようにしてもよい。
【００５５】
また、以上の説明では、軽負荷の場合、２個のアクティブフィルタのうち一方を停止するように説明したが、さらに軽負荷のときは、２個のアクティブフィルタのうち一方を停止するとともに、いずれかのアクティブフィルタを所定のデューティで停止するようにしてもよい。
【００５６】
（実施例２の効果）
以上のように、実施例２のアクティブフィルタを備える電源装置によれば、軽負荷のときは、複数のアクティブフィルタうち１つのスイッチングを停止するようにしたので、実施例１と同様、高調波電流規制を遵守しつつアクティブフィルタの変換効率を向上することができる。
【００５７】
《その他の変形例》
以上の実施例の説明では、アクティブフィルタ強制停止制御部７およびアクティブフィルタ制御部４等に接続される軽負荷信号を、電源装置の負荷となる装置やシステムからの信号として説明したが、電源装置の入力側や各ＤＣ−ＤＣコンバータの出力側などに電流検出手段を設け、当該電流検出手段により所定の電流値以下のときに軽負荷信号を自ら発生させるようにしてもよい。
【産業上の利用可能性】
【００５８】
本発明は、高調波電流規制の対象となる装置またはシステムに使用される、アクティブフィルタを備える電源装置に広く用いることができる。
【図面の簡単な説明】
【００５９】
【図１】実施例１のアクティブフィルタを備える電源装置の回路構成図である。
【図２】実施例１のアクティブフィルタの入力電圧と入力電流波形を示す図である。
【図３】実施例１のアクティブフィルタの入力電圧と入力電流波形を示す図である。
【図４】実施例１のアクティブフィルタの動作説明図である。
【図５】実施例２のアクティブフィルタを備える電源装置の回路構成図である。
【図６】実施例２のアクティブフィルタの入力電圧と入力電流波形を示す図である。
【図７】実施例２のアクティブフィルタの入力電圧と入力電流波形を示す図である。
【図８】実施例２のアクティブフィルタの入力電圧と入力電流波形を示す図である。
【図９】実施例２のアクティブフィルタの動作説明図である。
【図１０】従来のアクティブフィルタを備える電源装置の回路構成図である。
【符号の説明】
【００６０】
１、２  アクティブフィルタ
３、４  アクティブフィルタ制御部
７  アクティブフィルタ強制停止制御部
５、６  ＤＣ／ＤＣコンバータ
Ｉｉｎ  入力電流
Ｉ１、Ｉ２  アクティブフィルタ入力電流
Ｖｉｎ  ＡＣ１００Ｖ
【図１】
2008295216.tif 000003
【図２】
2008295216.tif 000004
【図３】
2008295216.tif 000005
【図４】
2008295216.tif 000006
【図５】
2008295216.tif 000007
【図６】
2008295216.tif 000008
【図７】
2008295216.tif 000009
【図８】
2008295216.tif 000010
【図９】
2008295216.tif 000011
【図１０】
2008295216.tif 000012